(57)【要約】被験者の生体機能のより適切な評価に寄与する情報を出力する。評価装置（１０）は、被験者（９００）の血流量を変化させるための状態変化が生じる前の血流量及び状態変化が生じた後の血流量を示す血流情報を取得する第１取得部（１２）と、血流情報、及び、血流情報に基づいて生体機能を評価するために参照される指標（ＩＰ）であって且つ血流情報に関連する指標（ＩＰ）を示す指標情報を出力する出力部（１４１）と、指標を調整するため調整情報を取得する第２取得部（１４２）とを備える。
2017130414.tif 000002
【特許請求の範囲】
【請求項１】
被験者の血流量を変化させるための状態変化が前記被験者に生じる前の前記血流量及び前記状態変化が生じた後の前記血流量を示す血流情報を取得する第１取得部と、
前記血流情報、及び、前記血流情報に基づいて前記被験者の生体機能を評価するために参照される指標であって且つ前記血流情報に関連する指標を示す指標情報を出力する出力部と、
前記指標を調整するため調整情報を取得する第２取得部と
を備える情報出力装置。
【請求項２】
前記血流情報のうち前記指標に対応する情報部分に基づいて、前記生体機能を評価する評価部を更に備え、
前記評価部は、前記生体機能を評価した後に前記第２取得部が前記調整情報を取得した場合には、前記血流情報のうち前記調整情報に基づいて調整された前記指標に対応する情報部分に基づいて前記生体機能を評価し直す
請求項１に記載の情報出力装置。
【請求項３】
前記出力部は、前記評価部の評価結果を出力し、
前記出力部は、前記評価結果を出力した後に前記第２取得部が前記調整情報を取得した場合には、前記血流情報のうち前記調整情報に基づいて調整された前記指標に対応する情報部分に基づく前記評価結果を出力し直す
請求項２に記載の情報出力装置。
【請求項４】
前記指標情報は、（ｉ）前記状態変化が生じたと推定される第１タイミングを前記指標として示す第１情報、（ｉｉ）前記状態変化に起因して前記血流量が減少し始めたと推定される第２タイミングを前記指標として示す第２情報、（ｉｉｉ）前記状態変化に起因して前記血流量が最も減少したと推定される第３タイミングを前記指標として示す第３情報、及び、（ｉｖ）前記状態変化に起因して減少した前記血流量が所定量にまで回復したと推定される第４タイミングを前記指標として示す第４情報のうちの少なくとも一つを含む
請求項１から３のいずれか一項に記載の情報出力装置。
【請求項５】
前記指標情報は、前記状態変化が生ずる前の所定期間中の前記血流量の平均値を前記指標として示す第５情報を含む
請求項１から４のいずれか一項に記載の情報出力装置。
【請求項６】
前記出力部は、前記血流情報が示す前記血流量の時間波形を表示するように、前記血流情報を出力し、
前記出力部は、前記指標を示す表示物を前記時間波形に関連付けて表示するように、前記指標情報を出力する
請求項１から５のいずれか一項に記載の情報出力装置。
【請求項７】
前記出力部は、前記表示物を表示した後に前記第２取得部が前記調整情報を取得した場合には、前記調整情報に基づいて調整された前記指標を示す前記表示物を前記時間波形に関連付けて表示し直す
請求項６に記載の情報出力装置。
【請求項８】
前記出力部は、前記血流情報に基づいて前記指標を生成し、生成した前記指標を示す前記指標情報を出力する
請求項１から７のいずれか一項に記載の情報出力装置。
【請求項９】
前記出力部は、予め設定された前記指標を示す前記指標情報を出力する
請求項１から８のいずれか一項に記載の情報出力装置。
【請求項１０】
被験者の血流量を変化させるための状態変化が前記被験者に生じる前の前記血流量及び前記状態変化が生じた後の前記血流量を示す血流情報を取得する第１取得工程と、
前記血流情報、及び、前記血流情報に基づいて前記被験者の生体機能を評価するために参照される指標であって且つ前記血流情報に関連する指標を示す指標情報を出力する出力工程と、
前記指標を調整するため調整情報を取得する第２取得工程と
を備える情報出力方法。
【請求項１１】
コンピュータを請求項１から９のいずれか一項に記載の評価装置として機能させることを特徴とするコンピュータプログラム。
【発明の詳細な説明】
【技術分野】
【０００１】
本発明は、例えば被験者の生体機能の評価に寄与する情報を出力する情報出力装置、情報出力方法、及び、コンピュータプログラムの技術分野に関する。
【背景技術】
【０００２】
人（或いは、任意の生体）が急に起立した場合や起立した後に立ち続ける場合等には、一過性の血圧低下を引き起こす可能性がある。このような一過性の血圧低下は、健常者であれば、数秒から十数秒程度で解消される。しかしながら、自律神経機能が悪化している者であれば、自律神経機能の悪化に起因して血圧調整機能が低下している可能性が高い。このため、一過性の血圧低下が解消しにくく、血圧低下が大きくなった場合には、結果として、頭部血流の低下を招き、人はめまいを感じたり或いは失神したりしてしまいかねない。従って、人の血流状態（特に、頭部の血流状態）に基づいて自律神経機能を評価することが望ましい。【０００３】
自律神経機能を評価する装置の一例は、特許文献１及び２に記載されている。具体的には、特許文献１及び２の夫々には、血流量を変化させる負荷を与える前の第１姿勢（しゃがみ姿勢）から血流量を変化させる負荷を与えた後の第２姿勢（立位姿勢）に移行する被験者の血流量の減少率及び回復時間に基づいて、被験者の自律神経機能を評価する装置が記載されている。【０００４】
一方で、非特許文献１に記載されているように、起立負荷による血流量の反応型は、起立負荷によって減少した血流量が標準時間以内に回復する基本型、起立負荷によって減少した血流量の回復に標準時間以上要する回復遅延型、起立負荷によって減少した血流量が十分に回復しない不完全回復型及びその他の型という４群に分類される。血流量の反応型が不完全回復型となる場合には、血流量が十分に回復しないがゆえに、特許文献１及び２に記載された回復時間というパラメータを用いて自律神経機能を評価することが困難である。そこで、非特許文献１に記載された方法は、血流量の反応型が基本型又は回復遅延型となる場合には、被験者が起立することで血流量が減少してから回復するまでに要する反応時間に基づいて被験者の自律神経機能を評価し、血流量の反応型が不完全回復型となる場合には、起立前の血流量と起立後の血流量との比に基づいて被験者の自律神経機能を評価している。
【先行技術文献】
【特許文献】
【０００５】
【特許文献１】国際公開第２０１３／０３８５５１号パンフレット
【特許文献２】国際公開第２０１３／０３８５５２号パンフレット
【非特許文献】
【０００６】
【非特許文献１】畑中裕司、石川和夫、川崎富泰、窪田伸三、高木潔、丹家元陽、吉村幸男、老籾宗忠、馬場茂明、「レーザー皮膚血流量計による糖尿病性自律神経障害の定量的分析−とくに起立負荷テストについて−」、糖尿病、１９８４年、２７巻６号、ｐ６８９−６９５
【発明の概要】
【発明が解決しようとする課題】
【０００７】
上述の各文献では、血流量の減少率、血流量の回復時間及び起立前の血流量と起立後の血流量との比のうちの少なくとも一つである評価パラメータに基づいて評価している。ここで、一般的には、自律神経機能を評価する装置（評価装置）は、血流量の時間波形に基づいて、評価パラメータを算出する。例えば、評価パラメータが減少量である場合には、評価装置は、時間波形に基づいて、立位姿勢に移行する前の血流量の平均値と立位姿勢に移行したことに起因して減少する血流量の最小値とを特定すると共に、当該特定した平均値と最小値との差分を算出することで、減少量を算出する。【０００８】
しかしながら、血流量の時間波形は、被験者毎に固有の時間波形となる。従って、評価装置は、何の指標も参照することなく血流量の時間波形を解析するだけでは、評価パラメータを適切に算出することができない可能性があるという技術的問題点が生ずる。その結果、評価装置が自律神経機能を適切に評価することができない可能性があるという技術的問題点が生ずる
尚、このような技術的問題点は、血流量に基づいて自律神経機能を評価する装置（方法）のみならず、血流量に基づいて被験者の任意の生体機能を評価する装置（方法）においても生ずる可能性がある。【０００９】
本発明が解決しようとする課題には上記のようなものが一例として挙げられる。本発明は、被験者の生体機能のより適切な評価に寄与することが可能な情報を出力する情報出力装置、情報出力方法及びコンピュータプログラムを提供することを課題とする。
【課題を解決するための手段】
【００１０】
本発明の情報出力装置の第１の態様は、被験者の血流量を変化させるための状態変化が前記被験者に生じる前の前記血流量及び前記状態変化が生じた後の前記血流量を示す血流情報を取得する第１取得部と、前記血流情報、及び、前記血流情報に基づいて前記被験者の生体機能を評価するために参照される指標であって且つ前記血流情報に関連する指標を示す指標情報を出力する出力部と、前記指標を調整するため調整情報を取得する第２取得部とを備える。【００１１】
本発明の情報出力方法の第１の態様は、被験者の血流量を変化させるための状態変化が前記被験者に生じる前の前記血流量及び前記状態変化が生じた後の前記血流量を示す血流情報を取得する第１取得工程と、前記血流情報、及び、前記血流情報に基づいて前記被験者の生体機能を評価するために参照されるべき指標を前記血流情報に対応付けて示す指標情報を出力する出力工程と、前記指標を調整するため調整情報を取得する第２取得工程とを備える。【００１２】
本発明のコンピュータプログラムの第１の態様は、コンピュータを上述した本発明の情報出力装置の第１の態様として機能させる。
【図面の簡単な説明】
【００１３】
【図１】本実施例の評価システムの構成を示すブロック図である。
【図２】本実施例の評価装置の動作の全体の流れを示すフローチャートである。
【図３】図３は、評価試験が行われている期間中に評価装置の制御下でディスプレイが表示する表示ウインドウを示す平面図である。
【図４】図４（ａ）から図４（ｃ）は、夫々、血流情報が示す血流量の時間波形を示すグラフである。
【図５】図５（ａ）から図５（ｂ）は、夫々、血流情報が示す血流量の時間波形と共にガイド線を示すグラフである。
【図６】図６（ａ）から図６（ｃ）は、夫々、血流情報が示す血流量の時間波形と共にガイド線を示すグラフである。
【図７】図７は、血流情報が示す血流量の時間波形と共にガイド線を示すグラフである。
【図８】図８は、血流情報が示す血流量の時間波形と共にガイド線を示すグラフである。
【発明を実施するための形態】
【００１４】
以下、情報出力装置、情報出力方法、及び、コンピュータプログラムの実施形態について順に説明する。
【００１５】
（情報出力装置の実施形態）
＜１＞
本実施形態の情報出力装置は、被験者の血流量を変化させるための状態変化が前記被験者に生じる前の前記血流量及び前記状態変化が生じた後の前記血流量を示す血流情報を取得する第１取得部と、前記血流情報、及び、前記血流情報に基づいて前記被験者の生体機能を評価するために参照される指標であって且つ前記血流情報に関連する指標を示す指標情報を出力する出力部と、前記指標を調整するため調整情報を取得する第２取得部とを備える。
【００１６】
この態様によれば、情報出力装置は、生体機能を評価するために参照される指標であって且つ調整情報に基づいて調整可能な指標を出力することができる。つまり、情報出力装置は、被験者の生体機能のより適切な評価に寄与する指標を出力することができる。
【００１７】
＜２＞
本実施形態の情報出力装置の他の態様では、前記血流情報のうち前記指標に対応する情報部分に基づいて、前記生体機能を評価する評価部を更に備え、前記評価部は、前記生体機能を評価した後に前記第２取得部が前記調整情報を取得した場合には、前記血流情報のうち前記調整情報に基づいて調整された前記指標に対応する情報部分に基づいて前記生体機能を評価し直す。
【００１８】
この態様によれば、評価部は、指標の調整結果を踏まえて生体機能を適切に評価することができる。更に、評価部は、指標に基づくことなく生体機能を評価する比較例の評価部と比較して、より高精度に生体機能を評価することができる。
【００１９】
＜３＞
上述の如く評価部を備える情報出力装置の他の態様では、前記出力部は、前記評価部の評価結果を出力し、前記出力部は、前記評価結果を出力した後に前記第２取得部が前記調整情報を取得した場合には、前記血流情報のうち前記調整情報に基づいて調整された前記指標に対応する情報部分に基づく前記評価結果を出力し直す。
【００２０】
この態様によれば、出力部は、指標の調整結果が反映された評価結果を適切に出力することができる。
【００２１】
＜４＞
本実施形態の情報出力装置の他の態様では、前記指標情報は、（ｉ）前記状態変化が生じたと推定される第１タイミングを前記指標として示す第１情報、（ｉｉ）前記状態変化に起因して前記血流量が減少し始めたと推定される第２タイミングを前記指標として示す第２情報、（ｉｉｉ）前記状態変化に起因して前記血流量が最も減少したと推定される第３タイミングを前記指標として示す第３情報、及び、（ｉｖ）前記状態変化に起因して減少した前記血流量が所定量にまで回復したと推定される第４タイミングを前記指標として示す第４情報のうちの少なくとも一つを含む。
【００２２】
この態様によれば、出力部は、生体機能のより適切な評価に寄与する指標として、第１タイミングから第４タイミングのうちの少なくとも一つを示す指標情報を出力することができる。
【００２３】
＜５＞
本実施形態の情報出力装置の他の態様では、前記指標情報は、前記状態変化が生ずる前の所定期間中の前記血流量の平均値を前記指標として示す第５情報を含む。
【００２４】
この態様によれば、出力部は、生体機能のより適切な評価に寄与する指標として、血流量の平均値を示す指標情報を出力することができる。
【００２５】
＜６＞
本実施形態の情報出力装置の他の態様では、前記出力部は、前記血流情報が示す前記血流量の時間波形を表示するように、前記血流情報を出力し、前記出力部は、前記指標を示す表示物を前記時間波形に関連付けて表示するように、前記指標情報を出力する。
【００２６】
この態様によれば、ユーザは、血流量の時間波形と共に指標を視認することができる。
【００２７】
＜７＞
上述の如く血流量の時間波形及び指標を示す表示物を表示するように血流情報及び指標情報を出力する情報出力装置の他の態様では、前記出力部は、前記表示物を表示した後に前記第２取得部が前記調整情報を取得した場合には、前記調整情報に基づいて調整された前記指標を示す前記表示物を前記時間波形に関連付けて表示し直す。
【００２８】
この態様によれば、ユーザは、血流量の時間波形と共に、調整情報に基づいて調整された指標を視認することができる。
【００２９】
＜８＞
本実施形態の情報出力装置の他の態様では、前記出力部は、前記血流情報に基づいて前記指標を生成し、生成した前記指標を示す前記指標情報を出力する。
【００３０】
この態様によれば、出力部は、出力部自身が血流情報に基づいて生成した指標を示す指標情報を出力することができる。
【００３１】
＜９＞
本実施形態の情報出力装置の他の態様では、前記出力部は、予め設定された前記指標を示す前記指標情報を出力する。
【００３２】
この態様によれば、出力部は、予め設定した指標を示す指標情報を出力することができる。
【００３３】
（情報出力方法の実施形態）
＜１０＞
本実施形態の情報出力方法は、被験者の血流量を変化させるための状態変化が前記被験者に生じる前の前記血流量及び前記状態変化が生じた後の前記血流量を示す血流情報を取得する第１取得工程と、前記血流情報、及び、前記血流情報に基づいて前記被験者の生体機能を評価するために参照されるべき指標を前記血流情報に対応付けて示す指標情報を出力する出力工程と、前記指標を調整するため調整情報を取得する第２取得工程とを備える。
【００３４】
本実施形態の情報出力方法によれば、上述した本実施形態の情報出力装置が享受することができる各種効果と同様の効果を適切に享受することができる。
【００３５】
尚、上述した本実施形態の情報出力装置における各種態様に対応して、本実施形態の情報出力方法も各種態様を採ることが可能である。
【００３６】
（コンピュータプログラムの実施形態）
＜１１＞
本実施形態のコンピュータプログラムは、コンピュータを上述した本実施形態の情報出力装置（但し、その各種態様を含む）として機能させる
本実施形態のコンピュータプログラムによれば、上述した本実施形態の情報出力装置が享受することができる各種効果と同様の効果を適切に享受することができる。
【００３７】
尚、上述した本実施形態の情報出力装置における各種態様に対応して、本実施形態のコンピュータプログラムも各種態様を採ることが可能である。また、本実施形態のコンピュータプログラムは、例えばコンピュータ読取可能な記録媒体（例えば、ＣＤやＤＶＤやＢＤ等の光ディスクや、半導体メモリや、ハードディスク等の磁気ディスク）に記録されていてもよい。
【００３８】
本実施形態のこのような作用及び他の利得は次に説明する実施例から更に明らかにされる。
【００３９】
以上説明したように、本実施形態の情報出力装置は、第１取得手段と、出力手段と、第２取得手段とを備える。本実施形態の情報出力方法は、第１取得工程と、出力工程と、第２取得工程とを備える。本実施形態のコンピュータプログラムは、コンピュータを本実施形態の情報出力装置として機能させる。従って、被験者の生体機能のより適切な評価に寄与することが可能な情報が出力される。
【実施例】
【００４０】
以下、図面を参照しながら、情報出力装置、情報出力方法及びコンピュータプログラムの実施例について説明する。尚、以下では、本発明の情報出力装置、情報出力方法及びコンピュータプログラムが、被験者９００の自律神経機能を評価する評価装置１０を備える評価システム１に適用された実施例について説明を進める。但し、本発明の情報出力装置、情報出力方法及びコンピュータプログラムは、自律神経機能とは異なる被験者９００の生体機能を評価する任意の評価装置に適用されてもよい。或いは、本発明の情報出力装置、情報出力方法及びコンピュータプログラムは、自律神経機能又は生体機能を評価に寄与する任意の情報を出力する任意の情報出力装置に適用されてもよい。【００４１】
（１）評価システム１の構成
図１を参照して、本実施例の評価システム１の構成について説明する。図１は、本実施例の評価システム１の構成を示すブロック図である。【００４２】
図１に示すように、評価システム１は、人間等の被験者９００の自律神経機能を評価するための評価試験を行うシステムである。評価システム１は、評価装置１０と、血流計２０と、ディスプレイ３０と、入力機器４０とを備える。【００４３】
評価装置１０は、制御部１１と、取得部１２と、指示部１３と、評価部１４とを備えている。尚、制御部１１、取得部１２、指示部１３及び評価部１４は、例えば専用のＩＣチップ等によって物理的に実現されてもよい。或いは、制御部１１、「第１取得部」の一具体例である取得部１２、指示部１３及び評価部１４は、例えば、ＣＰＵ（Ｃｅｎｔｒａｌ  Ｐｒｏｃｅｓｓｉｎｇ  Ｕｎｉｔ）上で動作するソフトウェアによって論理的に実現されてもよい。【００４４】
制御部１１は評価装置１０全体の動作を制御する。【００４５】
取得部１２は、血流計２０が出力する被験者９００の血流情報を取得する。血流情報は、被験者９００の血流量を示す情報である。例えば、血流情報は、血流量の時間波形（つまり、血流量の推移（言い換えれば、血流量の時間的な変化）を示す血流波形）を示す情報含んでいる。【００４６】
指示部１３は、評価装置１０によって自律神経機能が評価される被験者９００に対して、所望の指示を出力する。本実施例では、指示部１３は、所望の指示を、ディスプレイ３０上に表示される画像（例えば、所望の指示を文字や図形等で示す画像）として出力する。但し、指示部１３は、所望の指示を、その他の態様で出力してもよい。例えば、指示部１３は、所望の指示を、スピーカから出力される音声（例えば、所望の指示を通知する音声等）として出力してもよい。【００４７】
評価部１４は、取得部１２が取得する血流情報に基づいて、被験者９００の自律神経機能を評価する。評価部１４は、その内部に物理的に又は論理的に実現される処理ブロックとして、「出力部」の一具体例であるガイド線出力部１４１と、「第２取得部」の一具体例であるガイド線調整部１４２と、パラメータ演算部１４３と、「評価部」及び「出力部」の一具体例である評価結果出力部１４４とを備える。【００４８】
ガイド線出力部１４１は、取得部１２が取得した血流情報をディスプレイ３０に出力する。その結果、ディスプレイ３０は、血流情報が示す血流量の時間波形を表示する。加えて、ガイド線出力部１４１は、ガイド線ＩＰを示すガイド情報をディスプレイ３０に出力する。その結果、ディスプレイ３０は、ガイド情報が示すガイド線ＩＰを、血流量の時間波形に重ねて表示する。【００４９】
ガイド線ＩＰは、血流情報（或いは、血流量の時間波形）を特定可能な変数に関連するガイド線である。例えば、血流量の時間波形は、通常、時間という変数及び血流量という変数によって特定可能である。このため、ガイド線ＩＰは、時間に関連するガイド線を含んでいてもよい。例えば、ガイド線ＩＰは、血流量の時間波形上で所望の時間を指し示すガイド線を含んでいてもよい。例えば、ガイド線ＩＰは、血流量の時間波形が所望の条件を満たす所望の時間を指し示すガイド線を含んでいてもよい。或いは、ガイド線ＩＰは、血流量に関連するガイド線を含んでいてもよい。例えば、ガイド線ＩＰは、血流量の時間波形上で所望の血流量を指し示すガイド線であってもよい。【００５０】
ガイド線ＩＰは、血流情報に基づいて自律神経機能を評価するために評価部１４によって参照される。例えば、評価部１４は、血流量の時間波形のうちガイド線ＩＰに対応する波形部分（言い換えれば、ガイド線ＩＰが指し示す波形部分によって特定される血流量）に基づいて、自律神経機能を評価する。【００５１】
ガイド線調整部１４２は、評価システム１のユーザ（例えば、医師等の医療従事者又は被験者９００等）の操作に基づいて、ガイド線ＩＰを調整する。具体的には、例えば、ガイド線ＩＰが時間に関連するガイド線を含んでいる場合には、ガイド線調整部１４２は、ガイド線ＩＰが指し示す所望の時間を調整してもよい。例えば、ガイド線ＩＰが血流量に関連するガイド線を含んでいる場合には、ガイド線調整部１４２は、ガイド線ＩＰが指し示す所望の血流量を調整してもよい。【００５２】
パラメータ演算部１４３は、取得部１２が取得する血流情報及びガイド線出力部１４１が出力するガイド線情報に基づいて、自律神経機能を評価するために用いられる評価パラメータを算出する。つまり、パラメータ演算部１４３は、血流情報のうちガイド線ＩＰに対応する情報部分（例えば、血流量の時間波形のうちガイド線ＩＰに対応する波形部分）に基づいて、評価パラメータを算出する。【００５３】
評価結果出力部１４４は、パラメータ演算部１４３が算出した評価パラメータに基づいて、被験者９００の自律神経機能を評価する。加えて、評価結果出力部１４４は、被験者９００の自律神経機能の評価結果を出力する。本実施例では、評価結果出力部１４４は、自律神経機能の評価結果を、ディスプレイ３０上に表示される画像（例えば、自律神経機能の評価の結果を文字や図形等で示す画像）として出力する。但し、評価結果出力部１４４は、自律神経機能の評価結果を、その他の態様（例えば、音声等）で出力してもよい。【００５４】
血流計２０は、被験者９００の血流量を検出する。血流計２０は、被験者９００の頭部の血流量（或いは、頭部の近傍にある血管の血流量）を検出することが好ましい。血流計２０は、被験者９００に装着される。血流計２０は、当該検出した血流量を示す血流情報を評価装置１０（特に、取得部１２）に出力する。血流計２０としては、例えばレーザードップラーフローメトリー法を用いて血流波形を検出するレーザー血流計が一例としてあげられる。【００５５】
ディスプレイ３０は、所望の画像を表示する装置である。例えば、本実施例では、ディスプレイ３０は、評価システム１の動作状態を示すための画像（言い換えれば、画面）や、指示部１３から出力される所望の指示を示す画像（画面）や、評価結果出力部１４４から出力される自律神経機能の評価の結果を示す画像（画面）等を表示する。【００５６】
入力機器４０は、ユーザの操作を受け付ける。例えば、入力機器４０は、ディスプレイ３０の表示画面に重ねて設置される又はディスプレイ３０の表示画面と一体化されるタッチパネルであってもよい。或いは、入力機器４０は、ユーザの操作を受け付ける任意の機器（例えば、キーボードやマウスやタッチパッド等）であってもよい。以下では、説明の便宜上、入力機器４０は、タッチパネルであるものとする。【００５７】
（２）評価装置１０の動作
続いて、図２及び図３を参照して、本実施例の評価装置１０の動作の流れについて説明する。図２は、本実施例の評価装置１０の動作の流れを示すフローチャートである。図３は、評価試験が行われている期間中に評価装置１０の制御下でディスプレイ３０が表示する表示ウインドウ３１を示す平面図である。【００５８】
図２に示すように、自律神経機能の評価試験が開始される前であっても、血流計２０が血流情報を出力している場合には、取得部１２は、血流情報を取得してもよい（ステップＳ１１）。評価試験が開始される前に取得された血流情報は、後に詳述する評価部１４が評価パラメータを算出する際に評価部１４によって参照されてもよい。尚、ステップＳ１１の動作は、必ずしも行われなくともよい。【００５９】
その後、制御部１１は、評価試験の開始を指示する開始操作が、評価システム１のユーザによって行われたか否かを判定する（ステップＳ１２）。ユーザは、ディスプレイ３０が表示する表示ウインドウ３１を参照しながら、入力機器４０を用いて開始操作を行う。表示ウインドウ３１は、図３に示すように、指示ボタン領域３１１を含む。指示ボタン領域３１１には、評価試験の開始を指示するためにユーザによって押下される開始ボタン３１１ａが表示されている。【００６０】
ステップＳ１２の判定の結果、評価試験の開始を指示する操作が行われていないと判定される場合には（ステップＳ１２：Ｎｏ）、ステップＳ１１の動作が繰り返される。つまり、評価試験の開始の指示が行われるまでは、評価装置１０は実質的に待機することになる。【００６１】
他方で、ステップＳ１２の判定の結果、評価試験の開始を指示する操作が行われたと判定される場合には（ステップＳ１２：Ｙｅｓ）、続いて、指示部１３は、座位開始時刻Ｔａに座位姿勢をとると共にその後第１維持時間だけ（或いは、第１維持時間以上）座位姿勢を維持し続けることを被験者９００に指示するための姿勢統制指示を出力する（ステップＳ１３）。その結果、被験者９００は、姿勢統制指示に従って、座位開始時刻Ｔａに座位姿勢をとると共に、座位姿勢を第１維持時間以上維持する。尚、「座位姿勢」の一例として、椅子等の器具に被験者９００が座っている姿勢があげられる。「座位姿勢」の他の一例として、被験者９００の体重を折り曲げた足で支えるように被験者９００が座っている姿勢（言い換えれば、しゃがみこんでいる姿勢）があげられる。「座位姿勢」の他の一例として、足を折り曲げた状態で椅子等の器具に被験者９００が座っている姿勢があげられる。【００６２】
指示部１３は、表示ウインドウ３１を用いて、ステップＳ１３の姿勢統制指示を出力する。表示ウインドウ３１は、図３に示すように、姿勢統制領域３１２を含む。姿勢統制領域３１２には、第１維持時間（図３に示す例では、ＹＹ秒）だけ座位姿勢を維持し続けることを被験者９００に指示する指示ボックス３１２ａが表示される。指示部１３は、座位開始時刻Ｔａの到来と共に指示ボックス３１２ａを強調表示するようにディスプレイ３０を表示する。その結果、被験者９００は、指示ボックス３１２ａが強調表示されたタイミングで、座位姿勢をとると共に、指示ボックス３１２ａに表示された第１維持時間だけ座位姿勢を維持し続ける。【００６３】
その後、制御部１１は、座位開始時刻Ｔａを起点として、第１維持時間が経過したか否かを判定する（ステップＳ１４）。つまり、制御部１１は、被験者９００が第１維持時間以上座位姿勢を維持し続けたか否かを判定する。【００６４】
ここで、後に詳述するように、本実施例では、被験者９００が座位姿勢から立位姿勢に移行した後の血流量の変化の態様に基づいて、被験者９００の自律神経機能が評価される。従って、高精度な（言い換えれば、信頼性の高い）評価を行うという観点からは、立位姿勢に移行する直前の被験者９００の血流量は、十分に安定している（言い換えれば、変動が少ない）ことが好ましい。つまり、立位姿勢に移行する直前の被験者体９００の血流量には、座位姿勢を取る前の被験者９００の活動状況（例えば、運動状況）に起因したノイズ成分が重畳されていないことが好ましい。このため、第１維持時間は、被験者９００の血流量が十分に安定するようになるまでに必要な時間に応じて設定されることが好ましい。あるいは、立位姿勢に移行する直前の座位姿勢を、足を台座に乗せる姿勢やしゃがむ姿勢とする場合は、被験者９００は、その姿勢をとる以前に座位姿勢にて所定時間の安静を行った後に足を台座に乗せる姿勢やしゃがむ姿勢をとり、立位姿勢に移行することが好ましい。【００６５】
ステップＳ１４の判定の結果、第１維持時間が経過していないと判定される場合には（ステップＳ１４：Ｎｏ）、評価装置１０は、第１維持時間が経過するまで待機する。従って、被験者９００は、座位姿勢を維持し続ける。【００６６】
他方で、ステップＳ１４の判定の結果、第１維持時間が経過したと判定される場合には（ステップＳ１４：Ｙｅｓ）、指示部１３は、立位開始時刻Ｔｓに座位姿勢から立位姿勢に移行すると共にその後第２維持時間だけ（或いは、第２維持時間以上）立位姿勢を維持し続けることを被験者９００に指示するための姿勢統制指示を出力する（ステップＳ１５）。その結果、被験者９００は、姿勢統制指示に従って、立位開始時刻Ｔｓに座位姿勢から立位姿勢に移行すると共に、立位姿勢を第２維持時間以上維持する。尚、「立位姿勢」の一例として、被験者９００が足を概ね伸ばした状態で立っている姿勢又は立ち上がった姿勢（つまり、足を概ね延ばした状態で被験者９００の体重を足で支えている姿勢）があげられる。【００６７】
このとき、被験者９００は、被験者９００自身の筋肉を使用することで立ち上がる能動起立を行うことで、座位姿勢から立位姿勢に移行してもよい。或いは、被験者９００は、例えば他者の力を借りて立ち上がる受動起立（例えば、電動ベッドに寝ている被験者９００が、電動ベッドが自動的に起き上がる力を借りて立ち上がる受動起立やヘッドアップチルトを用いた受動起立等）を行うことで、座位姿勢から立位姿勢に移行してもよい。【００６８】
指示部１３は、表示ウインドウ３１を表示することで、ステップＳ１５の姿勢統制指示を出力する。表示ウインドウ３１は、図３に示すように、姿勢統制領域３１２を含む。姿勢統制領域３１２には、第２維持時間（図３に示す例では、ＺＺ秒）だけ立位姿勢を維持し続けることを被験者９００に指示する指示ボックス３１２ｂが表示される。指示部１３は、立位開始時刻Ｔｓの到来と共に（言い換えれば、第１維持時間の経過と共に）指示ボックス３１２ｂを強調表示するようにディスプレイ３０を表示する。その結果、被験者９００は、指示ボックス３１２ｂが強調表示されたタイミングで、座位姿勢から立位姿勢に移行すると共に、指示ボックス３１２ｂに表示された第２維持時間だけ立位姿勢を維持し続ける。【００６９】
その後、制御部１１は、立位開始時刻Ｔｓを起点として、第２維持時間が経過したか否かを判定する（ステップＳ１６）。つまり、制御部１１は、被験者９００が第２維持時間以上立位姿勢を維持し続けたか否かを判定する。【００７０】
ここで、後に詳述するように、本実施例では、被験者９００が立位姿勢に移行することで減少した血流量が回復する態様に基づいて、被験者９００の自律神経機能が評価される。具体的には、立位開始時刻Ｔｓから被験者９００が立位姿勢に移行することで減少した血流量が立位姿勢に移行する前の所定期間中の血流量の平均値Ｆａｖｅ（或いは、任意の所定量）にまで回復した回復時刻Ｔｒ（或いは、所定のカットオフ時刻Ｔｃ）までの間の血流量の変化の態様に基づいて、被験者９００の自律神経機能が評価される。従って、第２維持時間は、立位開始時刻Ｔｓから回復時刻Ｔｒ（或いは、カットオフ時刻Ｔｃ）までの間の時間よりも長いことが好ましい。【００７１】
ステップＳ１６の判定の結果、第２維持時間が経過していないと判定される場合には（ステップＳ１６：Ｎｏ）、評価装置１０は、第２維持時間が経過するまで待機する。従って、被験者９００は、立位姿勢を維持し続ける。【００７２】
他方で、ステップＳ１６の判定の結果、第２維持時間が経過したと判定される場合には（ステップＳ１６：Ｙｅｓ）、パラメータ演算部１４３は、ステップＳ１３からステップＳ１６の動作が行われている間に取得部１２によって取得された血流情報に基づいて、自律神経機能を評価するために用いられる評価パラメータを算出する（ステップＳ１８）。尚、ステップＳ１９においてパラメータ演算部１４３によって評価パラメータが算出されることを考慮すれば、図２では明示的に記載していないものの、取得部１２は、ステップＳ１３からステップＳ１６の動作が行われている間も血流情報を取得する。【００７３】
本実施例では、パラメータ演算部１４３は、「回復時間Ｔ」という第１の評価パラメータ及び「回復率Ｒ」という第２の評価パラメータを算出する。回復時間Ｔは、立位開始時刻Ｔｓから回復時刻Ｔｒまでの時間（つまり、被験者９００が立位姿勢に移行したことで減少した血流量が平均値Ｆａｖｅにまで回復するために要する時間）である。回復率Ｒは、被験者９００が立位姿勢に移行したことに起因した血流量の減少量ΔＦに対する回復量ΔＦＲの比率を示す。但し、パラメータ演算部１４３は、回復時間Ｔ及び回復率Ｒの少なくとも一方に加えて又は代えて、任意の評価パラメータを算出してもよい。【００７４】
ここで、図４（ａ）から図４（ｃ）を参照しながら、「回復時間Ｔ」という第１の評価パラメータ及び「回復率Ｒ」という第２の評価パラメータを、ステップＳ１３からステップＳ１６の動作が行われている間に取得部１２によって取得される血流情報が示す血流量の一例と共に説明する。図４（ａ）から図４（ｃ）は、夫々、「回復時間Ｔ」という第１の評価パラメータ及び「回復率Ｒ」という第２の評価パラメータを、血流情報が示す血流量の時間波形と共に示すグラフである。【００７５】
図４（ａ）は、被験者９００が立位姿勢に移行することで減少した血流量が立位姿勢に移行する前の所定期間中の血流量の平均値Ｆａｖｅにまで回復するために要する時間が相対的に短い場合に取得される血流情報（血流量の時間波形）を示す。このような血流情報は、被験者９００が健常者である（つまり、被験者９００の自律神経機能が悪化していない）場合に取得される。図４（ａ）に示すように、被験者９００が座位姿勢から立位姿勢に移行すると、血流量は減少する。なぜならば、立位姿勢への移行時に重力による血液の下方シフトが生じるからであり、また、被験者９００が座位姿勢をとっている間に生じていた足関節の曲げ等による血管の圧迫が、被験者９００が立位姿勢に移行することで解消されるからである。従って、被験者９００の姿勢が座位姿勢から立位姿勢に移行するという動作（状態変化）は、被験者９００の血流量を変化させるための状態変化の一例に相当する。その後、被験者９００の血圧調整機能に起因して、血流量は再び増加していく。その結果、血流量は、平均値Ｆａｖｅにまで回復する。図４（ａ）に示す血流量の時間波形は、通常回復型の時間波形に分類される。尚、被験者９００が健常者である場合には、立位開始時刻Ｔｓから回復時刻Ｔｒまでの間の期間の長さは、概ね十数秒程度になる。【００７６】
尚、図４（ａ）では、説明の便宜上、立位姿勢に移行する前の所定期間中の血流量の平均値Ｆａｖｅが、被験者９００が座位姿勢をとっている所定期間中の血流量の平均値Ｆａｖｅであるものとする。以下の説明においても同様である。但し、上述したように立位姿勢に移行する直前の座位姿勢を、足を台座に乗せる姿勢やしゃがむ姿勢とする場合は、平均値Ｆａｖｅは、足を台座に乗せる姿勢やしゃがむ姿勢を被験者９００がとっている所定期間中の血流量の平均値Ｆａｖｅであってもよい。【００７７】
図４（ｂ）は、被験者９００が立位姿勢に移行することで減少した血流量が平均値Ｆａｖｅにまで回復するために要する時間が相対的に長い場合に取得される血流情報（血流量の時間波形）を示す。このような血流情報は、被験者９００の自律神経機能が悪化している場合に取得される。図４（ｂ）に示すように、被験者９００が座位姿勢から立位姿勢に移行すると、血流量は減少する。その後、被験者９００の血圧調整機能に起因して、血流量は再び増加していく。しかしながら、自律神経機能の悪化に起因して血圧調整機能もまた悪化しているがゆえに、血流量が増加していく速度は、被験者９００が健常者である場合に血流量が増加していく速度よりも遅い。従って、被験者９００の自律神経機能が悪化している場合に血流量が平均値Ｆａｖｅにまで回復するために要する時間は、被験者９００が健常者である場合に血流量が平均値Ｆａｖｅにまで回復するために要する時間よりも長くなる。図４（ｂ）に示す血流量の時間波形は、回復遅延型の時間波形に分類される。【００７８】
図４（ｃ）は、被験者９００が立位姿勢に移行することで減少した血流量が所定時間（例えば、３０秒から６０秒の範囲内の任意の時間）以内に平均値Ｆａｖｅにまで回復しない場合に取得される血流情報（血流量の時間波形）を示す。このような血流情報は、被験者９００の自律神経機能が悪化している場合に取得される。図４（ｃ）に示すように、被験者９００が座位姿勢から立位姿勢に移行すると、血流量は減少する。その後、被験者９００の血圧調整機能に起因して、血流量は再び増加していく。しかしながら、自律神経機能の悪化に起因して血圧調整機能もまた悪化しているがゆえに、血流量が増加していく速度は、被験者９００が健常者である場合に血流量が増加していく速度よりも遅い。その結果、図４（ｃ）に示す例では、血流量は、立位開始時刻Ｔｓから所定時間以内に（図４（ｃ）に示す例では、カットオフ時刻Ｔｃ以前に）平均値Ｆａｖｅにまで回復することはない。図４（ｃ）に示す血流量の時間波形は、不完全回復型の時間波形に分類される。【００７９】
尚、カットオフ時刻Ｔｃは、自律神経機能が悪化している被験者９００が立位姿勢に移行してから当該被験者９００の血流量が平均値Ｆａｖｅにまで回復するために要した時間に基づいて設定されることが好ましい。例えば、自律神経機能が悪化している複数の被験者９００を対象に立位姿勢に移行してから血流量が平均値Ｆａｖｅにまで回復するために要した時間が計測され、当該計測された時間の平均値が算出され、立位開始時刻Ｔｓから当該算出された平均値に相当する時間だけ進んだ時刻がカットオフ時刻Ｔｃに設定されてもよい。或いは、例えば、立位開始時刻Ｔｓから当該算出された平均値に対して所定のマージン（例えば、当該算出された平均値の標準偏差に基づいて算出されるマージン）を加算若しくは減算することで得られる値に相当する時間だけ進んだ時刻がカットオフ時刻Ｔｃに設定されてもよい。或いは、例えば、立位開始時刻Ｔｓから当該算出された平均値に対して所定の係数を掛け合わせることで得られる値に相当する時間だけ進んだ時刻がカットオフ時刻Ｔｃに設定されてもよい。【００８０】
このような血流量の時間波形に基づいて回復時間Ｔを算出するために、パラメータ演算部１４３は、立位開始時刻Ｔｓ及び回復時刻Ｔｒを算出する。具体的には、パラメータ演算部１４３は、指示部１３が出力する姿勢統制指示に基づいて、立位開始時刻Ｔｓを算出する。更に、パラメータ演算部１４３は、立位開始時刻Ｔｓよりも後において血流量が平均値Ｆａｖｅと一致した時刻を算出すると共に、当該算出した時刻を回復時刻Ｔｒとして設定する。その後、パラメータ演算部１４３は、回復時間Ｔ＝回復時刻Ｔｒ−立位開始時刻Ｔｓという数式を用いて、回復時間Ｔを算出する。但し、血流量の時間波形が不完全回復型の時間波形である場合には、パラメータ演算部１４３は、回復時刻Ｔｒを算出することができない。この場合には、パラメータ演算部１４３は、回復時間Ｔが算出不可能であると取り扱ってもよい。【００８１】
更に、このような血流量の時間波形に基づいて回復率Ｒを算出するために、パラメータ演算部１４３は、被験者９００が立位姿勢に移行する前の所定期間中の血流量の平均値Ｆａｖｅを算出する。更に、パラメータ演算部１４３は、被験者９００が立位姿勢に移行した後の血流量の最小値Ｆｍｉｎを算出する。例えば、パラメータ演算部１４３は、血流量の微分結果がマイナスからプラスに変化する時刻を、最小時刻Ｔｍｉｎとして算出する。更に、パラメータ演算部１４３は、当該算出した最小時刻Ｔｍｉｎにおける血流量を最小値Ｆｍｉｎとして算出する。その後、パラメータ演算部１４３は、減少量ΔＦ＝平均値Ｆａｖｅ−最小値Ｆｍｉｎという数式を用いて、減少量ΔＦを算出する。更に、パラメータ演算部１４３は、回復時刻Ｔｒを算出する。更に、パラメータ演算部１４３は、当該算出した回復時刻Ｔｒにおける血流量を回復値Ｆｒとして算出する。その後、パラメータ演算部１４３は、回復量ΔＦＲ＝回復値Ｆｒ−最小値Ｆｍｉｎという数式を用いて回復量ΔＦＲを算出する。尚、血流量の時間波形が通常回復型又は回復遅延型の時間波形である場合には、回復時刻Ｔｒにおける血流量は、平均値Ｆａｖｅとなる。一方で、血流量の時間波形が不完全回復型の時間波形である場合には、パラメータ演算部１４３は、回復時刻Ｔｒを算出することができない。この場合には、パラメータ演算部１４３は、回復量ΔＦＲ＝カットオフ時刻Ｔｃにおける血流量−最小値Ｆｍｉｎという数式を用いて回復量ΔＦＲを算出する。その後、パラメータ演算部１４３は、回復率Ｒ＝回復量ΔＦＲ／減少量ΔＦという数式を用いて、回復率Ｒを算出する。【００８２】
このように、パラメータ演算部１４３は、「回復時間Ｔ」という第１の評価パラメータを算出する場合には、血流情報等に基づいて、立位開始時刻Ｔｓ及び回復時刻Ｔｒという２種類の必要パラメータを算出する必要がある。パラメータ演算部１４３は、「回復率Ｒ」という第２の評価パラメータを算出する場合には、血流情報等に基づいて、平均値Ｆａｖｅ、最小値Ｆｍｉｎ（最小時刻Ｔｍｉｎ）及び回復時刻Ｔｒという３種類の必要パラメータを算出する必要がある。【００８３】
一方で、図４（ａ）から図４（ｃ）に示すように、血流量の時間波形には個体差がある。従って、個体差の影響を受けて、血流情報に基づいてパラメータ演算部１４３が算出した必要パラメータが適切でない可能性がある。【００８４】
例えば、必要パラメータが最小値Ｆｍｉｎである場合について検討する。パラメータ演算部１４３は、上述したように、血流量の微分結果に基づいて最小値Ｆｍｉｎを算出する。しかしながら、微分結果がマイナスからプラスに変化する時刻が複数表れる場合には、パラメータ演算部１４３は、最小値Ｆｍｉｎを適切に算出することができない可能性がある。【００８５】
例えば、必要パラメータが回復時刻Ｔｒである場合について検討する。例えば、血流量は、最小値Ｆｍｉｎとなった後に徐々に増加していく。その後、血流量は平均値Ｆａｖｅにまで回復する。しかしながら、血流量の増加が瞬間的な増加に過ぎない（いわば、異常動作としての増加に過ぎない）場合には、瞬間的な増加に起因して血流量が平均値Ｆａｖｅにまで回復した時刻は、本来の回復時刻Ｔｒとは異なる可能性がある。【００８６】
このように、パラメータ演算部１４３は、何らの指標も参照することなく必要パラメータ（例えば、回復時刻Ｔｒや最小時刻Ｔｍｉｎや平均値Ｆａｖｅ等）を算出するだけでは、高精度な必要パラメータを算出することができない可能性がある。そこで、本実施例では、ガイド線出力部１４１は、必要パラメータの算出のためにパラメータ演算部１４３によって参照されるガイド線ＩＰを、必要パラメータを算出するための指標として、血流量の時間波形と共に表示するように、ディスプレイ３０を制御する。更に、ガイド線調整部１４２は、ユーザの操作に基づいて、ガイド線ＩＰを調整する。【００８７】
具体的には、再び図２において、パラメータ演算部１４３が評価パラメータを算出する前に、ガイド線出力部１４１は、表示ウインドウ３１を用いてガイド線ＩＰを血流量の時間波形と共に表示するように、ディスプレイ３０を制御する（ステップＳ１７）。表示ウインドウ３１は、図３に示すように、波形領域３１３を含む。波形領域３１３には、血流量の時間波形を示すグラフが表示される。更に、波形領域３１３には、ガイド線ＩＰが表示される。尚、図３は、「回復時間Ｔ」という第１の評価パラメータ及び「回復率Ｒ」という第２の評価パラメータを算出するためにパラメータ演算部１４３が参照する４つのガイド線ＩＰ１からＩＰ４が表示される例を示す。【００８８】
ガイド線ＩＰ１は、被験者９００が座位姿勢から立位姿勢に移行したと推定される時刻（つまり、立位開始時刻Ｔｓであると推定される時刻）を指し示す。ガイド線出力部１４１は、指示部１３が出力する姿勢統制指示に基づいて、ガイド線ＩＰ１を設定する。つまり、ガイド線出力部１４１は、指示部１３が立位姿勢に移行することを指示した時刻Ｔ１を、ガイド線ＩＰ１が示すべき時刻に設定する。その結果、ガイド線出力部１４１は、指示部１３が立位姿勢に移行することを指示した時刻Ｔ１を示すガイド線ＩＰ１を表示するように、ディスプレイ３０を制御する。【００８９】
ガイド線ＩＰ２は、被験者９００が立位姿勢に移行したことに起因して血流量が最小になったと推定される時刻（つまり、最小時刻Ｔｍｉｎであると推定される時刻）を指し示す。ガイド線出力部１４１は、ガイド線ＩＰ１が指し示す時刻Ｔ１から固定の又は可変な第１所定時間が経過した時刻Ｔ２を、ガイド線ＩＰ２が示すべき時刻に設定する。第１所定時間は、例えば、健常者が座位姿勢から立位姿勢に移行してから当該健常者の血流量が最小になるまでに要する時間の平均値であってもよい。その結果、ガイド線出力部１４１は、ガイド線ＩＰ１が指し示す時刻Ｔ１から第１所定時間が経過した時刻Ｔ２を示すガイド線ＩＰ２を表示するように、ディスプレイ３０を制御する。【００９０】
ガイド線ＩＰ３は、被験者９００が立位姿勢に移行したことに起因して減少した血流量が平均値Ｆａｖｅにまで回復したと推定される時刻（つまり、回復時刻Ｔｒであると推定される時刻）を指し示す。ガイド線出力部１４１は、ガイド線ＩＰ１が指し示す時刻Ｔ１から固定の又は可変な第２所定時間が経過した時刻Ｔ３を、ガイド線ＩＰ３が示すべき時刻に設定する。第２所定時間は、例えば、健常者が座位姿勢から立位姿勢に移行してから当該健常者の血流量が平均値Ｆａｖｅ（或いは、平均値Ｆａｖｅよりも小さい中間値Ｆｃであって、平均値Ｆａｖｅの９０％以上となる中間値Ｆｃ）にまで回復するために要する時間の平均値であってもよい。その結果、ガイド線出力部１４１は、ガイド線ＩＰ１が指し示す時刻Ｔ１から第２所定時間が経過した時刻Ｔ３を示すガイド線ＩＰ３を表示するように、ディスプレイ３０を制御する。【００９１】
ガイド線ＩＰ４は、立位姿勢に移行する前の所定期間中の血流量の平均値Ｆａｖｅを指し示す。ガイド線出力部１４１は、血流情報に基づいて平均値Ｆａｖｅを算出する共に、当該算出した平均値Ｆａｖｅを、ガイド線ＩＰ４が示すべき血流量に設定する。【００９２】
その後、パラメータ演算部１４３は、血流情報及びガイド線ＩＰに基づいて、評価パラメータを算出する（ステップＳ１８）。【００９３】
具体的には、パラメータ演算部１４３は、ガイド線ＩＰ１が指し示す時刻Ｔ１を、立位開始時刻Ｔｓに設定する。更に、パラメータ演算部１４３は、ガイド線ＩＰ３が指し示す時刻Ｔ３を、回復時刻Ｔｒに設定する。その後、パラメータ演算部１４３は、設定した立位開始時刻Ｔｓ及び回復時刻Ｔｒに基づいて、回復時間Ｔを算出する。【００９４】
更に、パラメータ演算部１４３は、ガイド線ＩＰ４が指し示す血流量を、平均値Ｆａｖｅに設定する。更に、パラメータ演算部１４３は、ガイド線ＩＰ２が指し示す時刻Ｔ２を、最小時刻Ｔｍｉｎに設定すると共に、当該最小時刻Ｔｍｉｎにおける血流量を、最小値Ｆｍｉｎに設定する。その後、パラメータ演算部１４３は、設定した平均値Ｆａｖｅ及び最小値Ｆｍｉｎに基づいて、減少量ΔＦを算出する。更に、パラメータ演算部１４３は、ガイド線ＩＰ３が指し示す時刻Ｔ３を、回復時刻Ｔｒに設定すると共に、当該回復時刻Ｔｒにおける血流量を、回復値Ｆｒに設定する。その後、パラメータ演算部１４３は、設定した最小値Ｆｍｉｎ及び回復値Ｆｒに基づいて、回復量ΔＦＲを算出する。その後、パラメータ演算部１４３は、算出した減少量ΔＦ及び回復量ΔＦＲに基づいて、回復率Ｒを算出する。【００９５】
その後、評価結果出力部１４４は、ステップＳ１９で算出された評価パラメータに基づいて、被験者９００の自律神経機能を評価する（ステップＳ１９）。例えば、評価結果出力部１４４は、評価パラメータが閾値ＴＨ１未満である場合には、被験者９００の自律神経機能が「優（めまい度：低）」であると判定してもよい。例えば、評価結果出力部１４４は、評価パラメータが閾値ＴＨ１以上であり且つ閾値ＴＨ２（但し、ＴＨ２＞ＴＨ１）未満である場合には、被験者９００の自律神経機能が「良（めまい度：中）」であると判定してもよい。例えば、評価結果出力部１４４は、評価パラメータが閾値ＴＨ２以上である場合には、被験者９００の自律神経機能が「悪（めまい度：高）」であると判定してもよい。【００９６】
その後、評価結果出力部１４４は、自律神経機能の評価結果を出力する（ステップＳ１９）。評価結果出力部１４４は、表示ウインドウ３１を用いて、評価結果を出力する。表示ウインドウ３１は、図３に示すように、結果領域３１５を含む。結果領域３１５は、第１の評価パラメータ（回復時間Ｔ）を表示する表示領域３１５ａと、第２の評価パラメータ（回復率Ｒ）を表示する表示領域３１５ｂと、評価結果を表示する表示領域３１５ｃとを含む。【００９７】
但し、評価結果出力部１４４は、自律神経機能の評価結果を、ディスプレイ３０上に表示される画像（例えば、自律神経機能の評価結果を文字や図形等で示す画像）として出力しなくてもよい。評価結果出力部１４４は、自律神経機能の評価結果を、必ずしも出力しなくともよい。【００９８】
その後、ガイド線調整部１４２は、ガイド線ＩＰを調整するための操作をユーザが行ったか否かを判定する（ステップＳ２０）。ガイド線ＩＰの調整は、ガイド線ＩＰが指し示す時刻の調整や、ガイド線ＩＰが指し示す血流量の調整を意味する。その結果、ガイド線ＩＰが実際に指し示す時刻と、ガイド線ＩＰが本来示すべき時刻との間のずれに起因した評価試験の精度の悪化が抑制される。【００９９】
例えば、上述したように、最小時刻Ｔｍｉｎであると推定される時刻を本来は指し示すべきガイド線ＩＰ２は、ガイド線ＩＰ１が指し示す時刻Ｔ１から固定の又は可変な第１所定時間が経過した時刻Ｔ２を指し示す。従って、図５（ａ）に示すように、被験者９００の個体差に起因して、ガイド線ＩＰ２が実際に指し示す時刻と、本来の最小時刻Ｔｍｉｎとの間に大きなずれが生ずる可能性がある。ガイド線ＩＰ２の調整は、図５（ｂ）に示すように、このようなずれの縮小を主たる目的としてユーザによって行われる。【０１００】
尚、図５（ａ）は、被験者９００の個体差に起因して、ガイド線ＩＰ３が実際に指し示す時刻と、本来の回復時刻Ｔｒとの間に大きなずれが生ずる例も合わせて示している。ガイド線ＩＰ３の調整は、図５（ｂ）に示すように、このようなずれの縮小を主たる目的としてユーザによって行われる。尚、ガイド線ＩＰ１からＩＰ３のずれの具体例については、本願明細書の末尾に参考例として記載する。【０１０１】
ユーザは、表示ウインドウ３１を参照しながら、ガイド線ＩＰを調整するための操作を行う。表示ウインドウ３１は、図３に示すように、調整領域３１４を含む。調整領域３１４には、ガイド線ＩＰ１が指し示す時刻を調整するための操作を受け付ける操作領域３１４ａと、ガイド線ＩＰ２が指し示す時刻を調整するための操作を受け付ける操作領域３１４ｂと、ガイド線ＩＰ３が指し示す時刻を調整するための操作を受け付ける操作領域３１４ｃとが含まれる。図３に示す例では、操作領域３１４ａでは、ガイド線ＩＰ１が指し示す時刻が四角枠で囲まれた状態で表示されると共に、ユーザは、当該時刻をスクロールすることでガイド線ＩＰ１が指し示す時刻を調整することができる。操作領域３１４ｂ及び３１４ｃについても同様である。また、調整領域３１４には、ガイド線ＩＰ４が指し示す血流量を調整するための操作を受け付ける操作領域３１４ｄが含まれていてもよい。但し、ユーザは、波形領域３１３に表示されているガイド線ＩＰ１からＩＰ４のうちの少なくとも一つを直接的に操作することで、ガイド線ＩＰが指し示す時刻を調整してもよい。【０１０２】
ステップＳ２０における判定の結果、ガイド線ＩＰを調整するための操作をユーザが行っていると判定される場合には（ステップＳ２０：Ｙｅｓ）、ガイド線調整部１４２は、ガイド線ＩＰを調整するための操作結果を示す調整情報を取得する。更に、ガイド線調整部１４２は、調整情報をガイド線出力部１４１に出力する。調整情報を取得したガイド線出力部１４１は、調整情報に基づいてガイド線ＩＰが指し示す時刻又は血流量を調整すると共に、調整前のガイド線ＩＰに代えて調整後のガイド線ＩＰを表示するように、ディスプレイ３０を制御する（ステップＳ２２）。更に、パラメータ演算部１４３は、血流情報及び調整後のガイド線ＩＰに基づいて、評価パラメータを算出し直す（ステップＳ１８）。更に、評価結果出力部１４４は、調整後のガイド線ＩＰに基づいて算出し直された評価パラメータに基づいて、被験者９００の自律神経機能を評価し直す（ステップＳ１９）。更に、評価結果出力部１４４は、調整前のガイド線ＩＰに基づく自律神経機能の評価結果に代えて、調整後のガイド線ＩＰに基づく自律神経機能の評価結果を出力する（ステップＳ１９）。つまり、ガイド線出力部１４１による調整後のガイド線ＩＰの表示動作、パラメータ演算部１４３による調整後のガイド線ＩＰに基づく評価パラメータの算出動作及び評価結果出力部１４４による自律神経機能の評価動作（更には、評価結果の出力動作）の夫々は、入力機器４０を用いたガイド線ＩＰの調整動作に連動して行なわれる動作である。【０１０３】
但し、ガイド線出力部１４１によるガイド線ＩＰの表示動作は、入力機器４０を用いたガイド線ＩＰの調整動作の後にユーザが行う「表示動作を再度行う旨の指示」に応じて行われてもよい。パラメータ演算部１４３による評価パラメータの算出動作は、入力機器４０を用いたガイド線ＩＰの調整動作の後にユーザが行う「算出動作を再度行う旨の指示」に応じて行われてもよい。評価結果出力部１４４による自律神経機能の評価動作（更には、評価結果の出力動作）は、入力機器４０を用いたガイド線ＩＰの調整動作の後にユーザが行う「評価動作（更には、出力動作）を再度行う旨の指示」に応じて行われてもよい。この場合、ユーザは、ディスプレイ３０が表示する表示ウインドウ３１中に含まれる「各動作の再実行」を指示するためのボタン等を用いて、これらの指示を行ってもよい。【０１０４】
他方で、ステップＳ２０における判定の結果、ガイド線ＩＰを調整するための操作をユーザが行っていないと判定される場合には、制御部１１は、再度の評価試験（つまり、再試験）の開始を指示する操作が、評価システム１のユーザによって行われたか否かを判定する（ステップＳ２１）。ステップＳ２１の判定の結果、再度の評価試験の開始を指示する操作が行われたと判定される場合には（ステップＳ２１：Ｙｅｓ）、ステップＳ１３以降の動作が繰り返される。他方で、ステップＳ２１の判定の結果、再度の評価試験の開始を指示する操作が行われていないと判定される場合には（ステップＳ２１：Ｎｏ）、評価システム１の動作が終了する。【０１０５】
（３）技術的効果
続いて、本実施例の評価装置１０によって得られる技術的効果について説明する。【０１０６】
上述したように、評価装置１０は、ガイド線ＩＰに基づいて、評価パラメータを算出するために必要な必要パラメータ（例えば、立位開始時刻Ｔｓや、最小時刻Ｔｍｉｎや、回復時刻Ｔｒや、平均値Ｆａｖｅ等）を設定（言い換えれば、算出、以下同じ）する。このため、評価装置１０は、ガイド線ＩＰを何ら参照することなく血流情報を解析することで必要パラメータを設定する比較例の評価装置と比較して、必要パラメータをより高精度に設定することができる。特に、ガイド線ＩＰがユーザによって調整可能であるがゆえに、評価装置１０は、ユーザの知見に基づいて適切に調整されたガイド線ＩＰに基づいて、必要パラメータを設定することができる。従って、ユーザの知見をも必要パラメータの設定に際して考慮することができると言う点においても、評価装置１０は、比較例の評価装置と比較して、必要パラメータをより高精度に設定することができる。その結果、評価装置１０は、比較例の評価装置と比較して、自律神経機能をより高精度に評価することができる。【０１０７】
（４）変形例
以下、本実施例の評価システム１の変形例について説明する。【０１０８】
被験者９００が立位姿勢に移行することで血流量が変化（例えば、減少）し始めることを考慮すれば、ガイド線ＩＰ１は、被験者９００が座位姿勢から立位姿勢に移行したと推定される時刻を指し示すと共に、被験者９００が立位姿勢に移行したことに起因して血流量が減少し始めたと推定される時刻をも指し示すとも言える。一方で、被験者９００の個体差を考慮すれば、被験者９００が座位姿勢から立位姿勢に移行したと推定される時刻と、被験者９００が立位姿勢に移行したことに起因して血流量が減少し始めたと推定される時刻とが一致しない場合もある。従って、ガイド線出力部１４１は、ガイド線ＩＰ１として、被験者９００が座位姿勢から立位姿勢に移行したと推定される時刻を指し示すガイド線ＩＰ１−１と、被験者９００が立位姿勢に移行したことに起因して血流量が減少し始めたと推定される時刻を指し示すガイド線ＩＰ１−２とのうちの少なくとも一方を表示するように、ディスプレイ３０を制御してもよい。【０１０９】
上述の説明では、ガイド線出力部１４１は、指示部１３が立位姿勢に移行することを指示した時刻Ｔ１を、ガイド線ＩＰ１が示すべき時刻に設定している。しかしながら、被験者９００が立位姿勢に移行したことを確認したユーザが、被験者９００が立位姿勢に移行した時刻Ｔ１ａを評価システム１に通知する場合には、ガイド線出力部１４１は、ユーザから通知された時刻Ｔ１ａを、ガイド線ＩＰ１が示すべき時刻に設定してもよい。或いは、被験者９００の移動量を検出するセンサ（例えば、加速度センサ等）を評価システム１が備えている場合には、ガイド線出力部１４１は、被験者９００が立位姿勢に移行したことをセンサの出力値が示すことになった時刻Ｔ１ｂを、ガイド線ＩＰ１が示すべき時刻に設定してもよい。【０１１０】
上述の説明では、ガイド線出力部１４１は、血流情報に基づくことなく、ガイド線ＩＰ１が示すべき時刻を設定している。しかしながら、ガイド線出力部１４１は、血流情報に基づいて、ガイド線ＩＰ１が示すべき時刻を設定してもよい。例えば、被験者９００が立位姿勢に移行することで血流量が変化（例えば、減少）し始めることを考慮すれば、被験者９００が立位姿勢に移行した時刻は、血流量が変化し始めた時刻と一致する可能性が高い。このため、ガイド線出力部１４１は、血流量の微分値が所定閾値を超えた時刻Ｔ１ｃを、ガイド線ＩＰ１が示すべき時刻に設定してもよい。【０１１１】
上述の説明では、ガイド線出力部１４１は、血流情報に基づくことなく、ガイド線ＩＰ２が示すべき時刻を設定している。しかしながら、ガイド線出力部１４１は、血流情報に基づいて、ガイド線ＩＰ２が示すべき時刻を設定してもよい。例えば、ガイド線出力部１４１は、血流量が実際に最小になる時刻Ｔ２ａを、ガイド線ＩＰ２が示すべき時刻に設定してもよい。例えば、ガイド線出力部１４１は、被験者９００が立位姿勢に移行してから第１所定期間以内に血流量が実際に最小になる時刻Ｔ２ｂを、ガイド線ＩＰ２が示すべき時刻に設定してもよい。【０１１２】
上述の説明では、ガイド線出力部１４１は、血流情報に基づくことなく、ガイド線ＩＰ３が示すべき時刻を設定している。しかしながら、ガイド線出力部１４１は、血流情報に基づいて、ガイド線ＩＰ３が示すべき時刻を設定してもよい。例えば、ガイド線出力部１４１は、血流量が実際に平均値Ｆａｖｅ（或いは、中間値Ｆｃ）にまで回復した時刻Ｔ３ａを、ガイド線ＩＰ３が示すべき時刻に設定してもよい。例えば、ガイド線出力部１４１は、被験者９００が立位姿勢に移行してから第２所定期間以内に血流量が最大になる時刻Ｔ３ｂを、ガイド線ＩＰ３が示すべき時刻に設定してもよい。【０１１３】
上述した実施例では、ガイド線出力部１４１は、線状の表示物であるガイド線ＩＰを表示するようにディスプレイ３０を制御している。しかしながら、ガイド線出力部１４１は、ガイド線ＩＰに加えて又は代えて、血流情報（或いは、血流量の時間波形）を特定可能な変数に関連すると共に任意の形状を有する任意の表示物を表示するようにディスプレイ３０を制御してもよい。【０１１４】
上述したガイド線ＩＰ１からＩＰ４は、回復時間Ｔ及び回復率Ｒという評価パラメータを算出するためにパラメータ演算部１４３が参照するガイド線である。しかしながら、パラメータ演算部１４３がその他の評価パラメータを算出する場合には、ガイド線出力部１４１は、上述したガイド線ＩＰ１からＩＰ４に加えて又は代えて、その他の評価パラメータを算出するためにパラメータ演算部１４３が参照するガイド線を表示するように、ディスプレイ３０を制御してもよい。【０１１５】
上述した実施例では、被験者９００の血流量を変化させる（具体的には、一時的に血流量を減少させる）ための状態変化として、被験者９００の姿勢が座位姿勢から立位姿勢に移行するという状態変化が用いられている。しかしながら、被験者９００の血流量を変化させるための状態変化として、被験者９００の状態が任意の第１状態から任意の第２状態に移行するという任意の状態変化が用いられてもよい。以下、被験者９００の血流量を変化させるための状態変化の他の一例について説明する。
被験者９００の血流量を変化させるための状態変化は、被験者９００がベッド上での臥位姿勢から床へ立位姿勢をとるという状態変化であってもよい。この場合、状態変化が生ずる前の被験者９００の第１状態は、被験者９００が臥位姿勢をとっている状態である。一方で、状態変化が生じた後の被験者９００の第２状態は、被験者９００が立位姿勢であるという状態である。【０１１６】
被験者９００の血流量を変化させるための状態変化は、被験者９００の下肢大腿部（或いは、その他任意の部位）を圧迫しているカフが取り外される又は緩められるという状態変化であってもよい。この場合、状態変化が生ずる前の被験者９００の第１状態は、被験者９００の下肢大腿部がカフで圧迫されているという状態である。一方で、状態変化が生じた後の被験者９００の第２状態は、被験者９００の下肢大腿部がカフで圧迫されていないという状態である。【０１１７】
被験者９００の血流量を変化させるための状態変化は、被験者９００の下半身（その他任意の部位）を負圧環境下にさらすという状態変化であってもよい。この場合、状態変化が生ずる前の被験者９００の第１状態は、被験者９００の下半身が負圧環境下にさらされていないという状態である。一方で、状態変化が生じた後の被験者９００の第２状態は、被験者９００の下半身が負圧環境下にさらされているという状態である
被験者９００の血流量を変化させるための状態変化は、被験者９００の交感神経を刺激するという状態変化であってもよい。この場合、状態変化が生ずる前の被験者９００の第１状態は、被験者９００の交感神経が未だ刺激されていないという状態である。一方で、状態変化が生じた後の被験者９００の第２状態は、被験者９００の交感神経が既に刺激されているという状態である。尚、ここで言う刺激とは、被験者９００の体に直接的に触れる物理的な刺激であってもよい。或いは、ここで言う刺激とは、被験者９００の精神に影響を与える精神的な刺激であってもよい。【０１１８】
（５）ガイド線ＩＰ１からＩＰ３のずれの具体例
続いて、図６（ａ）から図６（ｃ）、図７及び図８を参照しながら、ガイド線ＩＰが実際に指し示す時刻とガイド線ＩＰが本来示すべき時刻との間のずれの具体例について説明する。【０１１９】
図６（ａ）は、ガイド線ＩＰ１（特に、変形例で説明した、被験者９００が座位姿勢から立位姿勢に移行したと推定される時刻を指し示すガイド線ＩＰ１−１）が実際に指し示す時刻とガイド線ＩＰ１が本来示すべき時刻との間にずれが生じている例を示す。上述したように、ガイド線ＩＰ１が示すべき時刻は、指示部１３が立位姿勢に移行することを指示した時刻Ｔ１に設定される。ここで、姿勢統制指示に従って被験者９００が即座に立位姿勢に移行した場合には、ガイド線ＩＰ１が実際に指し示す時刻とガイド線ＩＰ１が本来示すべき時刻との間にずれが生じないと想定される。しかしながら、被験者９００の反応速度を考慮すると、指示部１３が姿勢統制指示を出力した時刻と、姿勢統制指示を認知した被験者９００が実際に立位姿勢に移行する時刻との間にはずれが生ずる。その結果、図６（ａ）に示すように、被験者９００の反応速度に起因して、ガイド線ＩＰ１が実際に指し示す時刻Ｔ１とガイド線ＩＰ１が本来示すべき立位開始時刻Ｔｓとの間にずれが生ずる。この場合には、ユーザは、時刻Ｔ１を指し示すガイド線ＩＰ１が立位開始時刻Ｔｓを指し示すガイド線ＩＰ１に変わるように、ガイド線ＩＰ１を調整してもよい。【０１２０】
図６（ｂ）もまた、ガイド線ＩＰ１（特に、変形例で説明した、血流量が減少し始めたと推定される時刻を指し示すガイド線ＩＰ１−２）が実際に指し示す時刻とガイド線ＩＰ１が本来示すべき時刻との間にずれが生じている例を示す。座位姿勢から立位姿勢に移行してすぐに被験者９００の血流量が減少し始める場合には、ガイド線ＩＰ１が実際に指し示す時刻とガイド線ＩＰ１が本来示すべき時刻との間にずれが生じないと想定される。しかしながら、座位姿勢から立位姿勢に移行してからしばらくした後に被験者９００の血流量が減少し始める被験者９００も存在する。この場合には、ガイド線ＩＰ１が実際に指し示す時刻（つまり、立位開始時刻Ｔｓ）とガイド線ＩＰ１が本来示すべき時刻（つまり、血流量が実際に減少し始めた時刻）との間にずれが生ずる。この場合には、ユーザは、立位開始時刻Ｔｓを指し示すガイド線ＩＰ１が、血流量が実際に減少し始めた時刻を指し示すガイド線ＩＰ１に変わるように、ガイド線ＩＰ１を調整してもよい。【０１２１】
図６（ｃ）もまた、ガイド線ＩＰ１（特に、変形例で説明した、血流量が減少し始めたと推定される時刻を指し示すガイド線ＩＰ１−２）が実際に指し示す時刻とガイド線ＩＰ１が本来示すべき時刻との間にずれが生じている例を示す。被験者９００の血圧は、立位姿勢への移行に起因して瞬間的に増加する可能性がある。その結果、血圧の瞬間的な増加に起因して、血流量もまた瞬間的に増加する可能性がある。或いは、被験者９００の血流量のゆらぎと同期したタイミングで被験者９００が立位姿勢に移行した場合にも、血流量が瞬間的に増加する可能性がある。この場合には、ガイド線ＩＰ１が実際に指し示す時刻（つまり、立位開始時刻Ｔｓ）とガイド線ＩＰ１が本来示すべき時刻（つまり、血流量が実際に減少し始めた時刻）との間にずれが生ずる。この場合には、ユーザは、立位開始時刻Ｔｓを指し示すガイド線ＩＰ１が、血流量が実際に減少し始めた時刻を指し示すガイド線ＩＰ１に変わるように、ガイド線ＩＰ１を調整してもよい。
なお、図６（ｃ）は、血流量が実際に減少し始めた時刻が、一点鎖線で示すように瞬間的に増加した血流量が減少し始めた時刻である例を示している。しかしながら、血流量が実際に減少し始めた時刻は、二点鎖線で示すように、瞬間的に増加した血流量が減少して平均値Ｆａｖｅ以下になった時刻であってもよい。【０１２２】
図７は、ガイド線ＩＰ２が実際に指し示す時刻とガイド線ＩＰ２が本来示すべき時刻との間にずれが生じている例を示す。変形例において上述したように、ガイド線ＩＰ２が示すべき時刻は、血流情報に基づいて、血流量が実際に最小になる時刻Ｔ２ａに設定されることがある。しかしながら、図７に示すように、血流情報が示す時間波形が立位開始時刻Ｔｓ以降に複数の極小値を有する時間波形である場合には、血流情報に基づいて設定される時刻Ｔ２ａと、本来の最小時刻Ｔｍｉｎとが一致しない可能性がある。その結果、図７に示すように、血流情報によっては、ガイド線ＩＰ２が実際に指し示す時刻Ｔ２ａとガイド線ＩＰ２が本来示すべき最小時刻Ｔｍｉｎとの間にずれが生ずる。この場合には、ユーザは、時刻Ｔ２ａを指し示すガイド線ＩＰ２が最小時刻Ｔｍｉｎを指し示すガイド線ＩＰ２に変わるように、ガイド線ＩＰ２を調整してもよい。【０１２３】
図８は、ガイド線ＩＰ３が実際に指し示す時刻とガイド線ＩＰ３が本来示すべき時刻との間にずれが生じている例を示す。変形例において上述したように、ガイド線ＩＰ３が示すべき時刻は、血流情報に基づいて、血流量が実際に平均値Ｆａｖｅにまで回復した時刻Ｔ３ａに設定されることがある。しかしながら、図８に示すように、被験者９００の血流量のゆらぎと同期したタイミングで血流量が瞬間的に（一時的に）平均値Ｆａｖｅにまで回復してしまう可能性がある。その結果、図８に示すように、血流情報によっては、ガイド線ＩＰ３が実際に指し示す時刻Ｔ３ａとガイド線ＩＰ３が本来示すべき回復時刻Ｔｒとの間にずれが生ずる。この場合には、ユーザは、時刻Ｔ３ａを指し示すガイド線ＩＰ３が回復時刻Ｔｒを指し示すガイド線ＩＰ３に変わるように、ガイド線ＩＰ３を調整してもよい。【０１２４】
また、本発明は、請求の範囲及び明細書全体から読み取るこのできる発明の要旨又は思想に反しない範囲で適宜変更可能であり、そのような変更を伴う情報出力装置、情報出力方法、及び、コンピュータプログラムもまた本発明の技術思想に含まれる。
【符号の説明】
【０１２５】
１０  評価装置
１１  制御部
１２  取得部
１３  指示部
１４  評価部
１４１  ガイド線出力部
１４２  ガイド線調整部
１４３  パラメータ演算部
１４４  評価結果出力部
２０  血流計
３０  ディスプレイ
４０  入力機器
９００  被験者
Ｔａ  座位開始時刻
Ｔｓ  立位開始時刻
Ｔｍｉｎ  最小時刻
Ｔｒ  回復時刻
Ｔｃ  カットオフ時刻
Ｆａｖｅ  平均値
Ｆｍｉｎ  最小値
ΔＦ  減少量
ΔＦＲ  回復量
ＩＰ１−ＩＰ４  ガイド線
【図１】
2017130414.tif 000003
【図２】
2017130414.tif 000004
【図３】
2017130414.tif 000005
【図４】
2017130414.tif 000006
【図５】
2017130414.tif 000007
【図６】
2017130414.tif 000008
【図７】
2017130414.tif 000009
【図８】
2017130414.tif 000010
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
被験者の血流量を変化させるための状態変化が前記被験者に生じる前の前記血流量及び前記状態変化が生じた後の前記血流量を含む血流情報を取得する取得部と、
前記血流情報に基づいて前記血流量の時間波形を出力し、前記被験者の生体機能を評価するために参照される前記時間波形上の波形部分を特定するための指標情報を出力する出力部と、
前記指標情報を調整する調整部と
を備える情報出力装置。
【請求項２】
前記指標情報によって特定された波形部分に基づいて、前記生体機能を評価する評価部を更に備え、
前記評価部は、前記生体機能を評価した後に前記調整部による調整が行われた場合には、調整後の前記指標情報に対応する波形部分に基づいて前記生体機能を評価し直す
請求項１に記載の情報出力装置。
【請求項３】
前記出力部は、前記評価部の評価結果を出力し、
前記出力部は、前記評価結果を出力した後に前記調整部による調整が行われた場合には、調整後のされた前記指標情報に対応する波形部分に基づく前記評価結果を出力し直す
請求項２に記載の情報出力装置。
【請求項４】
前記指標情報は、（ｉ）前記状態変化が生じたと推定される第１タイミングを示す第１情報、（ｉｉ）前記状態変化に起因して前記血流量が減少し始めたと推定される第２タイミングを示す第２情報、（ｉｉｉ）前記状態変化に起因して前記血流量が最も減少したと推定される第３タイミングを示す第３情報、及び、（ｉｖ）前記状態変化に起因して減少した前記血流量が所定量にまで回復したと推定される第４タイミングを示す第４情報のうちの少なくとも一つを含む
請求項１から３のいずれか一項に記載の情報出力装置。
【請求項５】
前記指標情報は、前記状態変化が生ずる前の所定期間中の前記血流量の平均値を示す第５情報を含む
請求項１から４のいずれか一項に記載の情報出力装置。
【請求項６】
前記出力部は、前記指標情報を前記時間波形に重ねて出力する
請求項１から５のいずれか一項に記載の情報出力装置。
【請求項７】
被験者の血流量を変化させるための状態変化が前記被験者に生じる前の前記血流量及び前記状態変化が生じた後の前記血流量を含む血流情報を取得する取得工程と、
前記血流情報に基づいて前記血流量の時間波形を出力し、前記被験者の生体機能を評価するために参照される前記時間波形上の波形部分を特定するための指標情報を出力する出力工程と、
前記指標情報を調整する調整工程と
を備える情報出力方法。
【請求項８】
コンピュータを請求項１から６のいずれか一項に記載の評価装置として機能させることを特徴とするコンピュータプログラム。
【国際調査報告】
2017130414.tif 000011
2017130414.tif 000012
2017130414.tif 000013
2017130414.tif 000014